(57)【要約】【課題】より容易および便利な取り扱いが可能な医療インジェクタおよびキャップリムーバの提供【解決手段】医療インジェクタは、尖らされた第１の端部および第２の端部を有する針と、第１の端部を被覆する第１のキャップと、第１のキャップの少なくとも一部を被覆する第２のキャップと、を含む。第２のキャップは、本体の近位端に空洞を画定する内壁をさらに含み、空洞は、第１のキャップの少なくとも一部分を受け入れるように寸法付けられおよび成形されており、第２のキャップは、本体の内壁から内側に延びおよび第１のキャップと摩擦的に係合するのに適合された、本体の近位端に隣接して設けられている突出部をさらに含み、第２のキャップは、第２のキャップの取り外しが、同時に、針の第１の端部から第１のキャップを取り外すように、第１のキャップと係合する。【選択図】図９
2020099832.tif 000002
【特許請求の範囲】
【請求項１】
リザーバを画定するインジェクタハウジング、
プランジャロッド、
前記プランジャロッドの一部分と係合しおよび前記リザーバ内部にスライド可能に配置されるストッパであって、前記インジェクタハウジングの内側に対して相対的に寸法付けられて前記インジェクタハウジングの側壁との封止係合を提供する、前記ストッパ、
前記リザーバと連通する、尖らされた第１の端部および第２の端部を有する針、
前記針の前記尖らされた第１の端部を被覆する第１のキャップ、および
前記第１のキャップの少なくとも一部を被覆する第２のキャップであって、近位端、遠位端、前記遠位端に隣接して設けられたフランジを有する本体を含む、前記第２のキャップ、を含み、
前記第２のキャップは、前記本体の前記近位端に空洞を画定する内壁をさらに含み、前記空洞は、前記第１のキャップの少なくとも一部分を受け入れるように寸法付けられおよび成形されており、
前記第２のキャップは、前記本体の前記内壁から内側に延び、および前記第１のキャップと摩擦的に係合するのに適合された突出部であって、前記本体の前記近位端に隣接して設けられている、前記突出部をさらに含み、
前記第２のキャップは、前記第２のキャップの取り外しが、同時に、前記針の前記第１の端部から前記第１のキャップを取り外すように、前記第１のキャップと係合することを特徴とする医療インジェクタ。
【請求項２】
前記第２のキャップは摩擦嵌合によって前記第１のキャップと係合することを特徴とする請求項１に記載の医療インジェクタ。
【請求項３】
前記突出部は環状リブを含むことを特徴とする請求項１に記載の医療インジェクタ。
【請求項４】
前記第１のキャップは第１の材料を含み、および前記第２のキャップは第２の材料を含み、前記第１の材料は前記第２の材料とは異なることを特徴とする請求項１に記載の医療インジェクタ。
【請求項５】
前記第２の材料は前記第１の材料よりも硬いことを特徴とする請求項４に記載の医療インジェクタ。
【請求項６】
前記リザーバ内部に配置された液体薬剤をさらに含むことを特徴とする請求項１に記載の医療インジェクタ。
【請求項７】
前記第１のキャップは、前記針の少なくとも前記尖らされた第１の端部を覆って配置される弾性スリーブを含むことを特徴とする請求項１に記載の医療インジェクタ。
【請求項８】
開口部が前記フランジを通って延びることを特徴とする請求項１に記載の医療インジェクタ。
【請求項９】
前記第２のキャップの前記本体の長手方向軸に垂直に取った前記フランジの断面は、 概して楕円形であることを特徴とする請求項１に記載の医療インジェクタ。
【請求項１０】
前記第２のキャップは、傾斜がつけられた近位に向けられた表面および丸みを帯びた遠位に向けられた表面を含むことを特徴とする請求項１に記載の医療インジェクタ。
【請求項１１】
前記第１のキャップとの前記第２のキャップの係合を視覚的に眺めるために、前記第２のキャップの側壁を通して窓が画定されていることを特徴とする請求項１に記載の医療インジェクタ。
【請求項１２】
近位端、遠位端、およびキャップリムーバ本体の近位端内部に空洞を画定する内壁を有するキャップリムーバ本体、
前記キャップリムーバ本体の前記内壁から前記空洞内へ内側に延びる突出部、および
前記キャップリムーバ本体の前記遠位端に隣接して設けられたフランジであって、前記キャップリムーバ本体の長手方向軸に垂直に取った前記フランジの断面が、形状において概して楕円形である、フランジ、
を含むキャップリムーバであって、
前記空洞は、医療インジェクタに配置されるキャップをその中に少なくとも部分的に収容するように寸法付けられており、
前記突出部は、前記キャップを摩擦的に係合するのに適合され、および前記キャップリムーバ本体の前記近位端に隣接して設けられており、および
前記キャップが前記空洞内部に受け入れられた状態で、前記キャップリムーバは前記医療インジェクタから前記キャップを取り外すことができることを特徴とするキャップリムーバ。
【請求項１３】
前記突出部は環状リブを含むことを特徴とする請求項１２に記載のキャップリムーバ。
【請求項１４】
前記キャップリムーバ本体の前記突出部が前記キャップと係合された状態で、前記キャップリムーバ本体は、前記キャップリムーバ本体に対する遠位に向けられた力の印加に際して、前記医療インジェクタから前記キャップを係合解除することができることを特徴とする請求項１２または１３に記載のキャップリムーバ。
【請求項１５】
前記フランジは、傾斜がつけられた近位に向けられた表面および丸みを帯びた遠位に向けられた表面を含むことを特徴とする請求項１２に記載のキャップリムーバ。
【請求項１６】
開口部が、前記フランジを通って延びることを特徴とする請求項１２に記載のキャップリムーバ。
【請求項１７】
開口部が、前記キャップリムーバ本体の側壁を通って画定されることを特徴とする請求項１２に記載のキャップリムーバ。
【発明の詳細な説明】
【技術分野】
【０００１】
関連出願の相互参照
【０００２】
本出願は、２０１５年１２月８日に出願された米国仮出願第６２／２６４，５０９号の利益を主張し、その開示は、その全体が参照によって本明細書に組み込まれる。
【０００３】
本開示は、概して、流体または液体薬剤の送達のための医療インジェクタデバイスに関する。より具体的には、本開示は、医療インジェクタデバイスまたはシリンジのための安全キャップおよび／またはキャップリムーバに関する。
【背景技術】
【０００４】
医療インジェクタおよびシリンジは、先行技術においてよく知られている。医療インジェクタは、液体薬剤または種痘を含む流体の選択された投与量を患者に送達することのできるオートインジェクタおよびペンインジェクタを含んでいてもよい。医療インジェクタは、典型的には、注射針が先端に付けられた、標準的な事前充填式のガラスまたはプラスチックシリンジを受け入れるように構成されていてもよい。これらのデバイスは、プランジャをシリンジバレル内に進めて針を通して液体薬剤を放出させるための駆動部材を含んでいてもよい。標準的な先行技術の皮下注射シリンジの必要とされる操作は、とりわけ、公の環境において注射が自己投与される場合、不便である可能性があり、および多くの医薬送達ペン、ペンインジェクタ、または他の自己インジェクタが、注射の自己投与を容易にするために開発されてきた。
【０００５】
使用の前に無菌状態を維持するため、および偶発的な針突き刺しを招くリスクを低減させるために、針先端の保護は重要である。医療インジェクタは、典型的には、使用の前に針を防護するゴムまたはプラスチックのキャップが提供されている。使用の直前に、使用者は、本発明のキャッププロテクタを使用するなどによって、インジェクタから保護キャップを取り外さなければならない。
【発明の概要】
【０００６】
本発明の実施形態に従って、医療インジェクタは、リザーバを画定するインジェクタハウジング、プランジャロッド、およびプランジャロッドの一部分と係合するストッパを含み、ストッパは、リザーバ内部にスライド可能に配置され、およびインジェクタハウジングの内側に対して相対的に寸法付けられて、インジェクタハウジングの側壁との封止係合を提供する。医療インジェクタは、リザーバと連通する、尖らされた第１の端部および第２の端部を有する針、針の尖らされた第１の端部を被覆する第１のキャップ、および第１のキャップの少なくとも一部を被覆する第２のキャップをさらに含む。第２のキャップは、近位端、遠位端、および遠位端に隣接して設けられたフランジを有する本体を含む。第２のキャップは、第２のキャップの取り外しが同時に針の第１の端部から第１のキャップを取り外すように、第１のキャップと係合される。
【０００７】
１つの実施形態において、第２のキャップは、摩擦嵌合によって第１のキャップと係合する。例えば、第２のキャップは、第１のキャップの少なくとも一部分を受け入れるように空洞が寸法付けられおよび成形されるように、その近位端に空洞を画定する内壁を含んでいてもよい。突出部は、第２のキャップ本体の内壁から内側に延びて、第１のキャップを摩擦的に係合してもよい。突出部は、環状リブであってもよい。１つの実施形態において、第１のキャップとの第２のキャップの係合を視覚的に眺めるために、第２のキャップの側壁を通して窓が画定されていてもよい。
【０００８】
第１のキャップは第１の材料から形成されていてもよく、および第２のキャップは第２の材料から形成されていてもよく、第１の材料は第２の材料とは異なる。１つの実施形態において、第１のキャップは、針の少なくとも尖らされた第１の端部を覆って配置される弾性スリーブを含む。第２の材料は、第１の材料よりも硬くてもよい。
【０００９】
遠位フランジは、第２のキャップ本体の長手方向軸に垂直に取った遠位フランジの断面が概して楕円形であるように成形されていてもよい。フランジは、長手方向軸に沿ってそれを通って延びる開口部を含んでいてもよい。フランジは、傾斜がつけられた近位に向けられた表面および丸みを帯びた遠位に向けられた表面を含んでいてもよい。
【００１０】
医療インジェクタは、リザーバ内部に配置された液体薬剤を含んでいてもよい。
【００１１】
別の実施形態に従って、キャップリムーバは、近位端、遠位端、およびキャップリムーバ本体の近位端内部に空洞を画定する内壁を有する本体を含む。突出部は、キャップ本体の内壁から空洞内へ内側に延び、およびフランジは、キャップ本体の遠位端に隣接して設けられる。キャップ本体の長手方向軸に垂直に取った遠位フランジの断面は、概して楕円形である。空洞は、医療インジェクタに配置されるキャップをその中に少なくとも部分的に収容するように寸法付けられる。キャップが空洞内部に受け入れられた状態で、キャップリムーバは、キャップを医療インジェクタから取り外してもよい。
【００１２】
１つの実施形態において、突出部は環状リブを含む。突出部は、キャップリムーバ本体の突出部がキャップと係合された状態で、キャップリムーバ本体がキャップリムーバ本体に対する遠位に向けられた力の印加に際して医療インジェクタからキャップを係合解除してもよいように、前記キャップを摩擦的に係合するのに適合される。
【００１３】
１つの実施形態において、開口部は、キャップリムーバ本体の一部分を通って画定されてもよい。遠位フランジは、傾斜がつけられた近位に向けられた表面および丸みを帯びた遠位に向けられた表面を含んでいてもよい。
【００１４】
添付の図面と併せて用いる開示の実施形態の以下の記載を参照することにより、本開示の上述のおよび他の特徴および利点ならびにそれらを獲得する方法は、より明らかになることとなり、および開示それ自体はよりよく理解されることとなる。
【図面の簡単な説明】
【００１５】
【図１】本発明の実施形態に従うキャップリムーバの斜視図である。
【図２】本発明の実施形態に従うキャップリムーバの斜視図である。
【図３】本発明の実施形態に従うキャップリムーバの第１の正面図である。
【図４】本発明の実施形態に従うキャップリムーバの第２の正面図である。
【図５】本発明の実施形態に従うキャップリムーバの第３の正面図である。
【図６】本発明の実施形態に従うキャップリムーバの第４の正面図である。
【図７】本発明の実施形態に従うキャップリムーバの第５の正面図である。
【図８】本発明の実施形態に従うキャップリムーバの第６の正面図である。
【図９】本発明の実施形態に従うキャップリムーバが付いた医療インジェクタの斜視図である。
【図１０】本発明の実施形態に従うキャップが付いた医療インジェクタの斜視図である。
【図１１】本発明の実施形態に従う医療インジェクタの斜視図である。
【図１２】本発明の実施形態に従う医療インジェクタの断面図である。
【発明を実施するための形態】
【００１６】
いくつかの図を通して、対応する参照符号は対応する部分を示す。本明細書に提示された例示は、開示の例示的な実施形態を示し、およびそのような例示は、いかなる方法によっても開示の範囲を制限するように解釈されるべきではない。
【００１７】
以下の記載は、当業者が本発明を実施するために検討された記載された実施形態を作製しおよび使用することができるように提供される。しかしながら、様々な修正、等価物、バリエーション、および代替物は、依然として、当業者にとって簡単に明らかになるであろう。ありとあらゆるそのような修正、バリエーション、等価物、および代替物は、本発明の精神および範囲に含まれることが意図される。
【００１８】
以下、記述の目的のために、用語「上部（upper）」、「下部（lower）」、「右」、「左」、「鉛直の（vertical）」、「水平の（horizontal）」、「最上部（top）」、「底部（bottom）」、「側方（lateral）」、「長手方向の（longitudinal）」、およびそれらの派生語は、図面の図においてそれが方向付けられているように、本発明に関するものとする。しかしながら、本発明は、明らかにそれとは反対に規定されている場合を除き、様々な代替物バリエーションを当然としてもよいことは理解されよう。また、添付図面に示されおよび以下の明細書に記載される具体的なデバイスは、単純に本発明の例示的な実施形態であることも理解されよう。したがって、本明細書中に開示される実施形態に関する具体的な寸法および他の物理的特性は、制限的であるとしてみなされるべきではない。
【００１９】
以下の検討において、「遠位」は、患者との接触および／または別個のデバイスとの係合に適合された医療インジェクタの端部に概して向かう方向に言及し、および「近位」は、遠位の反対方向、すなわち、別個のデバイスとの係合に適合された医療インジェクタの端部から離れた所に言及する。本開示の目的のために、上述の言及は、 本開示に従う医療インジェクタの構成要素の説明に使用される。
【００２０】
図１から図１２は、本開示の例示的な実施形態を示す。図１から図９を参照して、本開示のキャップリムーバまたは第２のキャップ３２が示される。図９から図１２を参照して、１つの実施形態において、本開示の医療インジェクタ１０は、第１のキャップ３０および第２のキャップまたはキャップリムーバ３２を含む。図１０から図１１を参照して、第１のキャップ３０は、針１４の遠位端５０を遮蔽および被覆する。第１のキャップ３０は、プラスチックおよび／またはゴムのガード材料で形成されていてもよい。第２のキャップ３２は、第１のキャップ３０よりも硬い材料から形成されていてもよい。図９を参照して、第２のキャップまたはキャップリムーバ３２は、針１４の遠位端５０および第１のキャップ３０を遮蔽および被覆する。１つの実施形態において、第２のキャップ３２は、針１４の遠位端５０を遮蔽および被覆する唯一のキャップであってもよい。
【００２１】
１つの実施形態において、第１のキャップ３０が針１４の遠位端５０を被覆した状態、および第２のキャップ３２が 針１４の遠位端５０および第１のキャップ３０を被覆した状態で、第２のキャップ３２は、第２のキャップ３２の取り外しが同時に針１４の遠位端５０から第１のキャップ３０を取り外すように、摩擦嵌合によって第１のキャップ３０と係合される。
【００２２】
図９から図１２を参照して、医療インジェクタ１０は、針１４を有する針組立品１２、インジェクタハウジング１６、セプタム２２によって封止された薬剤のためのリザーバ２０を有するバレル１８、ストッパ２４、フランジ６８を有するプランジャロッド２６、ばね２８、第１のキャップ３０、および第２のキャップまたはキャップリムーバ３２を含む。
【００２３】
医療インジェクタ１０は、遠位端３４および近位端３６を含む。バレル１８のリザーバ２０は、インジェクタハウジング１６内部に包み込まれる。１つの実施形態において、リザーバ２０は、インジェクタハウジング１６によって画定されてもよい。別の実施形態において、リザーバ２０は、インジェクタハウジング１６内部に含有される別個の構成要素、例えば、カートリッジまたはバレルによって画定されてもよい。針組立品１２は、針１４およびハブ３８を含む。針１４は、患者への挿入のために形成された遠位端５０、および近位端５２を含む。
【００２４】
本開示の医療インジェクタ１０は、シリンジ、自己インジェクタ、オートインジェクタ、またはペンインジェクタであることを含む、様々な形態のものであってもよい。１つの実施形態において、医療インジェクタ１０は、少なくとも１つの固定された投与量を投与するためによく適している。別の実施形態において、医療インジェクタ１０は、一連の固定された投与量を投与するためによく適している。医療インジェクタ１０は、プランジャロッド２６と両立できるとして知られる任意の方法で構成されていてもよい。医療インジェクタ１０は、注射可能な薬剤を収容するためのリザーバ２０を含んでいてもよく、これは、薬物カートリッジであってもよくまたは医療インジェクタ１０内に直接的に形成されていてもよい。リザーバ２０は、それに関連する１つまたは複数のストッパ２４を有していてもよい。
【００２５】
図９から図１１を参照して、医療インジェクタ１０のインジェクタハウジング１６は、上部ガード４０、下部ガード４２、およびベース４４を含む。上部ガード４０は、第１のフランジ４６および第１の先細にされた壁４８を含む。１つの実施形態において、上部ガード４０は、指掴み凹み部（finger grip indentations）または同様の構造のような、使用者の指を収容するための表面を含むグリッピング構成要素を提供する。例えば、上部ガード４０は、実質的に、使用者の指先に合って使用者が医療インジェクタ１０を操作しおよび医療処置において医療インジェクタ１０を使用するのを補助する人間工学的に成形された表面を提供し、および使用者のために多数の指掴み位置を提供してもよい。上部ガード４０は、使用者が医療インジェクタ１０を様々な異なる方法で握りおよび／または掴むことを可能にする。
【００２６】
下部ガード４２は、第２のフランジ６０および第２の先細にされた壁６２を含む。下部ガード４２は、指掴み凹み部または同様の構造のような、使用者の指を収容するための表面を含む第２のグリッピング構成要素を提供する。１つの実施形態において、下部ガード４２は、使用者に、掌中での、正確には医療インジェクタ１０を用いた針挿入の間の、鉛直方向安定性を提供する。
【００２７】
上部ガード４０および下部ガード４２は、一緒に、使用者が医療インジェクタ１０を操作しおよび医療処置において医療インジェクタ１０を使用するのを補助するための、使用者の指を収容するための表面を含むグリッピング構成要素を提供する。
【００２８】
ベース４４は、医療インジェクタ１０の使用の間、使用者の肌に接触するフランジ６４を含む。ベース４４は、医療インジェクタ１０の使用の間、医療インジェクタ１０を使用者の肌の上に固定する固定部品（stability  component）を提供する。１つの実施形態において、ベース４４は、また、ばね２８を隠す。
【００２９】
図９から図１１を参照して、インジェクタハウジング１６、上部ガード４０、下部ガード４２、およびベース４４は、視界窓６６を提供するように構成される。視界窓６６は、使用者が薬剤を含むバレル１８を見ることを可能にする。
【００３０】
図１０を参照して、第１のキャップ３０は、針１４の遠位端５０を遮蔽および被覆する。図９を参照して、第２のキャップまたはキャップリムーバ３２は、針１４の遠位端５０および第１のキャップ３０を遮蔽および被覆する。
【００３１】
図１から図９を参照して、第２のキャップまたはキャップリムーバ３２は、遠位端１０１、近位端１０２、側壁１０４、および側面開孔部１０６を有する本体１００を含む。図４から図６を参照して、１つの実施形態において、第２のキャップ３２は、概して逆さまのＴ字形本体を有する。いくつかの実施形態において、第１のキャップ３０は、側面開孔部１０６を通して眺めることができる。いくつかの実施形態において、２つの側面開孔部１０６が、第２のキャップ３２の対向側面に設けられていてもよい。
【００３２】
図２を参照して、１つの実施形態において、本体１００の内壁１０３は、本体１００の近位端１０２に空洞１１６を画定する。空洞１１６は、その中に第１のキャップ３０の少なくとも一部分を受け入れるように寸法付けられおよび成形される。突出部またはリブ１２０は、本体１００の長手方向軸に向かって内壁１０３から内側に延びていてもよい。１つの実施形態において、突出部１２０は環状リブである。別の実施形態において、第２のキャップ３２は、複数のリブ１２０を含む。突出部１２０は、傾斜がつけられた近位表面１２２を含んでいてもよい。近位表面１２２は、内壁１０３から本体１００の長手方向軸Ｌに向かって内方におよび本体１００の遠位端１０１に向かって下方に、角度がつけられていてもよい。傾斜がつけられた近位表面１２２は、第２のキャップ３２が第１のキャップ３０の上をスライドして第１のキャップ３０を空洞１１６内部に固定するのを補助する。第２のキャップ３２が第１のキャップ３０を被覆するとき、第２のキャップ３２は、針１４の遠位端５０および第１のキャップ３０を遮蔽および被覆する。
【００３３】
第１のキャップ３０が針１４の遠位端５０を被覆した状態、および第２のキャップ３２が 針１４の遠位端５０および第１のキャップ３０を被覆した状態で、第２のキャップ３２は、第２のキャップ３２の取り外しが同時に針１４の遠位端５０から第１のキャップ３０を取り外すように、第１のキャップ３０と係合される。１つの実施形態において、第２のキャップまたはキャップリムーバ３２は、図９に示されるように、遠位に向けられた力Ｆを第２のキャップまたはキャップリムーバ３２に印加することによって、医療インジェクタ１０から取り外される。
【００３４】
１つの実施形態において、第２のキャップ３２は、第２のキャップ本体１００の遠位端１０１に設けられた、遠位フランジ１１１または同様の構造のような、使用者の指を収容するための表面を含むグリッピング構成要素を提供する。キャップ本体１００の長手方向軸Ｌに垂直に取った遠位フランジ１１１の断面は、形状において概して楕円形であってもよい。開口部１１７は、長手方向軸Ｌに沿って遠位フランジ１１１を通って画定されていてもよい。
【００３５】
１つの実施形態において、第２のキャップ３２は、実質的に、使用者の指先に合って、使用者が針１４の遠位端５０から第２のキャップ３２を取り外すのを補助するおよび／または使用者が針１４の遠位端５０から第２のキャップ３２および第１のキャップ３０を同時に取り外すのを補助する、人間工学的に成形された表面を提供する。第２のキャップ３２は、使用者に、使用者のための多数の指掴み位置を提供する。例えば、第２のキャップ３２は、使用者が様々な異なる方法で第２のキャップ３２を取り扱いおよび／または掴むことを可能にする。１つの実施形態において、第２のキャップ３２の形状は、障害者が第２のキャップ３２および／または医療インジェクタ１０をより容易におよびより便利に取り扱うのに役立つように設計される。
【００３６】
第２のキャップ３２は、使用者が指屈曲なしで第２のキャップ３２を取り扱うことを可能にする。例えば、近位表面１１３は、側壁１０４に隣接する遠位フランジ１１１の中心部分からその側方端部に向かって下方に傾斜がつけられていてもよい。遠位フランジ１１１は、丸みを帯びた遠位に向けられた表面１１５をさらに含んでいてもよい。
【００３７】
本開示の医療インジェクタ１０を使用することが望まれるとき、第２のキャップ３２は、第２のキャップ３２および第１のキャップ３０を針１４の遠位端５０から同時に容易に取り外すために使用される。図１１を参照して、キャップ３０、３２が取り外された状態で、針１４の遠位端５０は、露出され、および使用者の肌の所望の部分に隣接して位置付けられる準備ができている。
【００３８】
医療インジェクタ１０のバレル１８内部に含有された医薬を放出または送達することが望まれるとき、および医療インジェクタ１０が適切に使用されて使用者の肌に接触しおよび使用者の肌を穿刺した状態で、プランジャロッド２６のフランジ６８およびインジェクタハウジング１６の一部分を、例えば、プランジャロッド２６のフランジ６８上の使用者の親指で、およびインジェクタハウジング１６の上部ガード４０の第１のフランジ４６の周りに延びる使用者の指で、把持することができる。このように、医療インジェクタ１０を、慣用の皮下注射シリンジの操作と同様のよく知られたおよびよく認識された方法で、使用者によって把持することができる。次に、使用者は、プランジャロッド２６のフランジ６８上の親指と上部ガード４０の第１のフランジ４６を把持する４本の指との間で圧迫動作（squeezing movement）を生じさせ、それによって、プランジャロッド２６を矢印Ａ（図１１）に概して沿った方向に移動させる。
【００３９】
矢印Ａに概して沿った方向のプランジャロッド２６の運動は、医療インジェクタ１０の遠位端３４に向かう矢印Ａに概して沿った方向のストッパ２４の運動を作動させる。このように、矢印Ａに概して沿った方向のストッパ２４の運動は、バレル１８のリザーバ２０内部に含有された薬剤流体を、針１４の遠位端５０から押し出されおよび使用者および／または患者に押し込まれるようにさせる。
【００４０】
薬剤流体の注射の後、針１４を患者の肌から取り外すことができる。１つの実施形態において、医療インジェクタ１０は、使用後の針１４の安全な遮蔽のために、針１４をインジェクタハウジング１６内に移動させるための自動引き戻し機構を含んでいてもよい。１つの実施形態において、ばね２８が、自動引き戻し機構の一部として使用されてもよい。
【００４１】
医療インジェクタ１０の構成要素の全ては、任意の知られている材料で作られていてもよく、および、望ましくは、医療グレードのポリマーで作られている。
【００４２】
本開示は、例示的な設計を有するように記載されてきたが、本開示は、本開示の精神および範囲内において、さらに修正され得る。本出願は、従って、その一般的原理を使用する開示のあらゆるバリエーション、使用、または適応を対象とすることが意図される。さらに、本出願は、本開示が関連しおよび添付の特許請求の範囲の限定に含まれる、当技術分野の慣行または慣例内に入るような本開示からの逸脱を対象とすることが意図される。
【図１】
2020099832.tif 000003
【図２】
2020099832.tif 000004
【図３】
2020099832.tif 000005
【図４】
2020099832.tif 000006
【図５】
2020099832.tif 000007
【図６】
2020099832.tif 000008
【図７】
2020099832.tif 000009
【図８】
2020099832.tif 000010
【図９】
2020099832.tif 000011
【図１０】
2020099832.tif 000012
【図１１】
2020099832.tif 000013
【図１２】
2020099832.tif 000014